(57)【要約】      （修正有）【課題】スナックを保存し、携行し、また、喫食し易くするスナック容器であって、リサイクルも容易であるスナック容器を提供する。【解決手段】スナックを入れる容器であって、プラスチック製、紙製又は金属製の円筒形の本体と円筒形本体の両端縁にプルタブ付の予め開口部の切込みを刻んだ金属製の内蓋をかしめることにより封止した容器本体と、容器本体の両端部に嵌合し、かつ、単数の又は複数の重なり合って配設されたプラスチック製の被せ蓋とから構成する。【選択図】図１
0003138674.tif 000002
【実用新案登録請求の範囲】
【請求項１】
スナックを入れる容器であって、紙製又は金属製の円筒形の本体と該円筒形の両端縁にプルトップ付の予め開口部を形成する切込みを刻んだ金属製の内蓋をかしめることにより封止した容器本体と、該容器本体の両端部に嵌合し、かつ、単数の又は複数の重なり合って配設されたプラスチック製の被せ蓋と、から構成されることを特徴とするスナック容器。
【請求項２】
スナックを入れる容器であって、プラスチック製の円筒形の本体と該円筒形の両端縁にプルタブ付の予め該縁部に沿って切込みを刻んだ金属製の内蓋をかしめることにより封止した容器本体と、該容器本体の両端部に嵌合し、かつ、単数の又は複数の重なり合って配設されたプラスチック製の被せ蓋と、から構成されることを特徴とするスナック容器。
【請求項３】
前記容器本体がスナックを入れた後に抜気状態に又は脱酸素ガスを封入した状態に保つことを特徴とする請求項１又は２に記載のスナック容器。
【請求項４】
前記スナックが茹でた鞘付枝豆又は茹でた枝豆であることを特徴とする請求項１又は２又は３に記載のスナック容器。
【考案の詳細な説明】
【技術分野】
【０００１】
本考案は、スナック容器に関するもので、詳しくはスナックとなるナッツ類や菓子等を保存し、携行し、また喫食し易くするスナック容器に関するものである。
【背景技術】
【０００２】
従来、スナックを入れる容器としては、プラスチック製や紙製の袋等があるが、これらの袋は剛性がないから、持ち運びすることなく動かさずに保存したり喫食したりする場合には、内容物であるスナックが壊れなくて良いが、旅行やハイキング等に携行する場合には、スナックが壊れ易いという問題がある。また、喫食する場合には袋の中に手を入れてスナックを取り出して食べるなど、手が汚れるなど不衛生な面があり、そうでなくて皿とか紙の上に移し替えて食べる場合も、それらを予め用意しておかねばならない煩わしさがあった。
【０００３】
一方、プラスチック製、紙製又はアルミなどの金属製の缶形状のスナック容器は、携行し易く、かつ、内容物のスナックが壊れ難いという利点はあるが、一人でなく多人数で喫食する場合には、スナック容器をたらい回しにして喫食するか、又は別の皿や紙の上に移し替えて食べなければならないことが多い。また、容器をリサイクルする場合にも、容器自体に剛性があるので潰しにくく嵩を減らすことが難しい点があった。この空き缶をリサイクルし易くするために、形状を工夫して潰し易くした鉄製又はアルミ製の缶の先行技術が開示されている。（特許文献１，２，３参照）
【特許文献１】特開２０００−０３３９２６号公報
【特許文献２】特開２００３−１７０９３３号公報
【特許文献３】特開２００３−１９１９３８号公報
【考案の開示】
【考案が解決しようとする課題】
【０００４】
従前のスナック容器であるプラスチック製、紙製又は金属製の容器は保存性、携行性において優れているが、一人でなく多人数で喫食する場合にはスナック容器をたらい回しにするとか、別の取り皿を用意するとかの不便さが多くあった。特に、夏季の冷たいビールを飲む場合の好適なつまみである鞘付き枝豆の場合には、鞘付き枝豆を取る皿や豆を取り出した後の鞘を捨てる皿などを必要とするが、従前のものではこの皿が付いていないので不便であった。また、リサイクルする時に、従前の容器であれば、容易に潰せなくて嵩張るなどの問題があった。先行技術の容器でも、単に潰し易いことを目的とした形状加工であるので、その製造にあたっては、手間や、費用を省けない点がある。
【０００５】
本考案は、上記の問題点を解消するために為したものであって、その目的は、スナックを保存し、携行し、また喫食し易くするスナック容器であって、リサイクルも容易であるスナック容器を提供するものである。      
【課題を解決するための手段】
【０００６】
上記の目的を達成するために、本考案（請求項１）に係るスナック容器は、スナックを入れる容器であって、紙製又は金属製の円筒形の本体と該円筒形の両端縁にプルトップ付の予め開口部を形成する切込みを刻んだ金属製の内蓋をかしめることにより封止した容器本体と、該容器本体の両端部に嵌合い、かつ、単数の又は複数の重なり合って配設されたプラスチック製の被せ蓋と、から構成されることを特徴とする。また、本考案（請求項２）に係るスナック容器は、スナックを入れる容器であって、プラスチック製の円筒形の本体と該円筒形の両端縁にプルタブ付の予め該縁部に沿って切込みを刻んだ金属製の内蓋をかしめることにより封止した容器本体と、該容器本体の両端部に嵌合し、かつ、単数の又は複数の重なり合って配設されたプラスチック製の被せ蓋と、から構成されることを特徴とする。
【０００７】
これらの構成によれば、本考案のスナック容器は内部に収納するスナックを外気と完全に遮断することが可能で、スナックを湿らすことなく、また酸化を防ぐことが可能となる。また、スナック容器は内蓋が容器本体の両端部に設けられているので、どちらか一方の内蓋を開くかは自由に選択できるし、例えば、容器内に二種類のスナックを層状に収納した場合には、どちらを先に取り出すかは開ける内蓋を選択することによって可能となる。また、この内蓋は容器の内径とほぼ同じ大きさに開口できるので、収納したスナックが取り出しやすい。また、使用済みのスナック容器の両内蓋を開口すれば、容器本体の剛性がほとんど無くなるから潰し易く嵩張らなくすることが可能で、リサイクル時などで運搬が容易となる。また、容器本体の両端部に嵌合された単数または複数の被せ蓋は容易に取り外しができるので、複数の取り皿として多目的に使用できるから、例えば、スナックを多人数に配分して喫食することが容易であり、殻や包装紙などの捨て皿としても使用できる。
【０００８】
また、本考案（請求項３）に係るスナック容器は、請求項１又は２に記載のスナック容器において、容器本体がスナックを入れた後に抜気状態又は脱酸素ガスを封入した状態に保つことを特徴とする。この構成により、容器本体が密封できる構造であるからスナックを収納した後で、内部の空気を抜いて抜気状態にするとか、窒素ガスを封入し、又は脱酸素材を内部に入れることで空気から脱酸素したガスを封じ込めるか、その選択が容易であり、これによりスナックの酸化や湿ることを防いで、スナックの鮮度及び食感を良い状態に維持することができる。
【０００９】
また、本考案（請求項４）に係るスナック容器は、請求項１又は２又は３に記載のスナック容器において、前記スナックが茹でた鞘付枝豆又は茹でた枝豆であることを特徴とする。この構成により、特に夏季における冷たいビール飲みのつまみとして好適であり、何処ででも簡便に携行して食することができる。さらに、透明なプラスチック製スナック容器に収納された茹で枝豆そのものは、その緑色と形状により飲食欲を増進し、飲食感を向上させる。また、鞘を剥いて枝豆を取り出す手間が省け、何処ででも簡便に食することができる。
【考案の効果】
【００１０】
以上説明したように、本考案に係るスナック容器によれば、容器本体を紙製、プラスチック製又は金属製と、その外見、サイズ、透明性などの各要求される特性に応じて選択できる。また、内部に収納するスナックを外気と完全に遮断することができ、スナックを湿らすことなく、また酸化を防ぐことができる。加えて、容器本体を抜気状態又は脱酸素ガスを封入した状態に保つことにより、スナックの変質を防止し品質を長期に維持できる。また、被せ蓋が２以上備えているので、取皿や殻入れる皿など多目的にわたり、目的に対応して利用できる。また、容器本体の端面の蓋を容易に外せるので、潰し易く、リサイクルなどのためのハンドリングが容易となる。また、透明なプラスチック製スナック容器に収納された茹で枝豆そのものの場合は、その緑色と形状により飲食欲を増進し、飲食感を向上させると共に、鞘を剥いて枝豆を取り出す手間が省け、何処ででも簡便に食することができる。
【考案を実施するための最良の形態】
【００１１】
以下、本考案の実施形態を図面に基づいて説明する。図１は、本考案に係わるスナック容器の一実施形態を表し、アルミ製容器本体を有するスナック容器であって、（ａ）は模式的斜視図、（ｂ）は（ａ）のＡ−Ａ矢視断面図である。図２は、図１のスナック容器の使用状態を示す図であって、（ａ）は開蓋後の容器の模式的斜視図、（ｂ）は開けた状態の内蓋の模式的斜視図、（ｃ）は外した被せ蓋の模式的斜視図である。図３は、本考案に係わるスナック容器の別の実施形態を表し、プラスチック製容器本体を有するスナック容器であって、（ａ）は模式的斜視図、（ｂ）は（ａ）のＡ−Ａ矢視断面図である。図４は、図３のスナック容器の使用状態を示す図であって、（ａ）は開蓋後の容器の模式的斜視図、（ｂ）は開けた状態の内蓋の模式的斜視図、（ｃ）は外した被せ蓋の模式的斜視図である。
【００１２】
図１に基いて、本考案に係るスナック容器の一実施形態を説明すると、スナック容器１は、スナックを内部に収納する円筒形のアルミ製容器本体２と、容器本体２の両端部を蓋する２個のアルミ製内蓋４と、容器本体２の両端部に嵌合する２個のプラスチック製被せ蓋３と、から構成される。容器本体２と内蓋４はアルミ製のみならずスチール製などの金属製であればよいが、加工性、軽量化、銀色の清潔感という点でアルミ製が望ましい。また、紙製の場合は、定法により、ボール紙を切断して、単リング状又はスパイラル状に接着成型して円筒形とする。また、この容器本体２の内側面はポリエチレンコーチングがスナック及び内壁に対して汚染を防止又は耐湿の点で良い。被せ蓋３は容器本体２の両端部と嵌め合うから確実に被せるために、弾力性のあるプラスチック製であるのがよい。この被せ蓋３は、本図において各１枚を設けているが、これに捉われることなく多目的用途にするために複数枚を重ね合わせてもよい。この場合には、被せ蓋は段付きの外縁を設けることになる。また、スナック容器１のサイズは径５〜１０ｃｍ、高さ５〜２０ｃｍの範囲である。
【００１３】
内蓋４はアルミ製の円形板を加工して形成され、開口部を形成するために内蓋４の中央部分を除去し易くした切り込み４ｃと、開口部に相当する内蓋の部分を引き上げるためのプルトップ４ａと、容器本体２の端部をかしめて一体的に結合するかしめ部４ｂと、が設けられる。このかしめ部４ｂは、容器本体２の両端部を内蓋４の外縁部で以ってコの字型に挟着して形成され、容器本体２をその内部が外気と遮断できる密閉容器となる。また、内蓋４に設けた切り込み４ｃは、内蓋４の中心部付近に設けたプルトップ４ａを引き上げる時に、内蓋４を切り込み４ｃに沿って切断し、図２ａに示すように内部にあるスナックを取り出せる開口部を形成する。この構造の形式は通常プルトップ缶と言われるものである。
【００１４】
図３に基いて、本考案に係るスナック容器の別の実施形態を説明すると、スナック容器１１は、スナックを内部に収納する円筒形のプラスチック製容器本体１２と、容器本体１２の両端部を蓋する２個のアルミ製内蓋１４と、アルミ製内蓋１４の周縁部に嵌合する２個のプラスチック製被せ蓋１３と、から構成される。容器本体１２はプラスチック製であり、内蓋１４はアルミ製のみならずスチール製などの金属製であればよいが、開蓋時の低切り裂き抵抗性、加工性、軽量化、銀色の清潔感という点でアルミ製が望ましい。被せ蓋１３は内蓋１４の周縁部と嵌め合うから確実に被せるために、弾力性のあるプラスチック製であるのがよい。この被せ蓋３は、本図において各１枚を設けているが、これに捉われることなく多目的用途にするために複数枚を重ね合わせてもよい。この場合には、被せ蓋は段付きの外縁を設けることになる。また、スナック容器１１のサイズは径５〜１０ｃｍ、高さ５〜２０ｃｍの範囲である。
【００１５】
図３、４に基いて内蓋１４を説明すると、内蓋１４はアルミ製の円形板を加工して形成され、内蓋１４を除去し易くした切り込み１４ｃと、切り込み１４ｃを起点として内蓋の除去を助けるために端部に設けられたプルタブ１４ａと、容器本体１２の端部をかしめて一体的に結合するかしめ部１４ｂと、が設けられる。このかしめ部１４ｂは、容器本体１２のくびれ部１２ａの両端部を内蓋４の外縁部で以ってＣの字型にかしめることにより形成され、容器本体１２をその内部が外気と遮断できる密閉容器となる。また、内蓋１４に設けた切り込み１４ｃは、内蓋１４の端部に設けたプルタブ１４ａを引き上げる時に、内蓋１４が切り込み１４ｃに沿って切り裂かれて、内蓋１４が取り去られて、図４ａに示すように内部にあるスナックを取り出せる開口部を形成する。この内蓋１４の形式は通常ワイドキャップと言われるものである。
【００１６】
また、容器本体２，１２が外気と遮断できる構造であるから、スナックを収納した後で、内部の空気を抜いて抜気状態にするとか、或いは、窒素ガス、炭酸ガスなどのドライガスを封入するとか、又は、脱酸素材を内部に入れることで空気から脱酸素したガスにして封じ込めるか、スナックの種類、品質特性に合わせた選択ができる。これらの封入ガスを入れることにより、スナックの酸化や湿りを防止して、容器本体２，１２内のスナックの鮮度及び食感を良い状態に維持することができる。なお、抜気状態である真空に近い状態にすると、茹でた枝豆などの水分を保有しているスナックは水分が抜けて風味、食感が悪くなるので適用できない。また、紙製やアルミ製の容器本体２の場合は、真空に近い状態に強度的に外圧に対抗できないので不適である。
【００１７】
また、夏季における冷たいビール飲みのつまみとして好適である茹でた鞘付枝豆又は茹でた枝豆を本考案の容器本体２，１２内のスナックとした場合には、家庭内のみならず外食に、すなわち、場所を選ばずに何処へでも簡便に携行して食することができる特長がある。また、本考案の容器本体２，１２は被せ蓋３，１３を複数枚備えているので、それらを枝豆の取り皿及び枝豆の鞘の殻捨て皿として使用するなど多目的使用に適している。特に、茹でた枝豆そのものを透明なプラスチック製スナック容器１２に収納した場合には、鞘を剥いて枝豆を取り出す手間が省け、何処ででも簡便に食することができるし、また、茹で枝豆そのものの緑色と形状が飲食欲を増進し、また、飲食感を向上させるので、スナックとして好適である。
【００１８】
本考案のスナック容器１，１１の使用は次のように行える。スナック容器１，１１は容器本体２，１２に片側の内蓋４，１４をかしめて取り付け、その後スナックを収納して、内部のガス条件を定法により調節した後、もう一方の内蓋４、１４をかしめて取り付ける。それから被せ蓋３、１３を取り付けてスナック容器１，１１が完成する。次の説明として、このスナック容器１，１１からスナックを取り出して食する手順は、先ず、スナック容器１，１１の両端又は片端の被せ蓋３，１３を取り外し、次いで内蓋４，１４を開口する。内蓋４の場合は、プルトップ４aを手で引き上げて、切り込み４ｃから内蓋４の中央部を取り去って開口する。内蓋１４の場合は、プルタブ１４aを手で手前から引き上げて、切り込み４ｃから切り開いて、内蓋１４の全体を取り去って開口する。このように開口したスナック容器１，１１からスナックを取り出し、喫食することができる。先に取り外した被せ蓋３，１３は取り皿、取り分け皿又は殻入れやごみ入れとして目的に応じて適宜使用できる。  
【産業上の利用可能性】
【００１９】
以上説明したように、本考案に係るスナック容器は、携帯して食するにあたり多目的に利用できる可能性があり、また、多種類のスナックの容器として利用できるので、ホームパーティー、アウトドアなどのレジャー部門での利用が期待できる。
【図面の簡単な説明】
【００２０】
【図１】本考案に係わるスナック容器の一実施形態を表し、アルミ製容器本体を有するスナック容器であって、（ａ）は模式的斜視図、（ｂ）は（ａ）のＡ−Ａ矢視断面図である。
【図２】図１のスナック容器の使用状態を示す図であって、（ａ）は開蓋後の容器の模式的斜視図、（ｂ）は開けた状態の内蓋の模式的斜視図、（ｃ）は外した被せ蓋の模式的斜視図である。
【図３】本考案に係わるスナック容器の別の実施形態を表し、プラスチック製容器本体を有するスナック容器であって、（ａ）は模式的斜視図、（ｂ）は（ａ）のＡ−Ａ矢視断面図である。
【図４】図３のスナック容器の使用状態を示す図であって、（ａ）は開蓋後の容器の模式的斜視図、（ｂ）は開けた状態の内蓋の模式的斜視図、（ｃ）は外した被せ蓋の模式的斜視図である。
【符号の説明】
【００２１】
１：スナック容器        ２：容器本体          ３：被せ蓋
４：内蓋      ４ａ：プルトップ    ４ｂ：かしめ部    ４ｃ：切り込み
１１：スナック容器      １２：容器本体          １２ａ：括れ部
１３：被せ蓋    １４：内蓋      １４ａ：プルタブ    １４ｂ：かしめ部
１４ｃ：切り込み
【図１】
0003138674.tif 000003
【図２】
0003138674.tif 000004
【図３】
0003138674.tif 000005
【図４】
0003138674.tif 000006